(57)【特許請求の範囲】
【請求項１】
複数の外線及び複数の内線を収容する主装置と、前記複数の内線を介して前記主装置にそれぞれ独立に接続するパーソナルコンピュータ及び複数のボタン電話機とを備え、前記パーソナルコンピュータは前記複数のボタン電話機の内の特定のボタン電話機の利用者が前記パーソナルコンピュータ上に表示される表示内容を視覚により確認し且つ操作可能な位置に設置され、前記主装置は前記複数の外線からの着信時に前記複数の外線から送られてくる複数の発信者番号を前記パーソナルコンピュータに送出し、前記パーソナルコンピュータは、自装置を制御するためのプログラムを記憶するプログラムメモリと、着信時に前記主装置から送られてくる前記複数の発信者番号にそれぞれに対応する発信者関連情報を予め記憶する記憶回路と、前記主装置から送出されてきた前記発信者番号に対応した前記発信者関連情報を表示するディスプレイ部と、マウスを含み前記発信者番号に対応する前記発信者関連情報の登録等に利用する入力部と、前記内線を介して前記主装置に接続し自装置全体を前記プログラムによって制御する制御回路とを有し、前記制御回路は前記主装置から送出された前記複数の発信者番号を基に前記記憶回路を順次検索して前記複数の発信者番号個々に対応する複数の発信者関連情報を読み出しパーソナルコンピュータが現在使用中の他のアプリケーションソフトウェアに影響を与えることなく表示させる表示制御手段を有することを特徴とする電話端末システムにおいて、前記パーソナルコンピュータの前記ディスプレイ部は、前記発信者番号に対応する前記発信者関連情報の表示処理を除く固有のアプリケーション処理の表示領域以外の上部又は下部にツールバーを有し、このツールバー内に無着信の状態から最初の着信があった場合には第１の色で表示して通知し、複数の着信があると前記第１の色から第２の色に変色して表示して通知する複数着信ボタンと、前記最初の着信に対応する発信者に関連する複数の情報を項目別に表示する複数の第１の発信者情報表示部とを含み、前記複数着信ボタンが前記第２の色で点灯表示している場合に前記マウスによって前記複数着信ボタンをクリックすると前記複数の着信のそれぞれの発信者に関連する複数の発信者関連情報をそれぞれ項目別に表示する複数の第２の発信者情報表示部を持った複数着信一覧表示部を前記ツールバーとは別の位置に表示し、前記複数着信一覧表示部内に複数の着信個々の発信者の詳細情報を表示させるための発信者情報選択ボタンを複数の着信個々に対応して表示し、且つ前記発信者情報選択ボタンに対応して着信順に前記複数の着信個々に対応する前記発信者関連情報を項目別に表示し、前記発信者情報選択ボタンを前記マウスでクリックすると前記ツールバーとは別の位置に発信者詳細情報表示部を表示し、前記発信者詳細情報表示部に発信者の詳細情報を表示することを特徴とする電話端末システム。
【請求項２】
複数の外線及び複数の内線を収容する主装置と、前記複数の内線を介して前記主装置にそれぞれ独立に接続するパーソナルコンピュータ及び複数のボタン電話機とを備え、前記パーソナルコンピュータは前記複数のボタン電話機個々の利用者がそれぞれ前記パーソナルコンピュータ上に表示される表示内容を視覚により確認し且つ操作可能な位置に前記複数のボタン電話機と１対１対応で設置され、前記主装置は前記複数の外線からの着信時に前記複数の外線から送られてくる複数の発信者番号を前記パーソナルコンピュータのそれぞれに送出し、前記パーソナルコンピュータは、自装置を制御するためのプログラムを記憶するプログラムメモリと、着信時に前記主装置から送られてくる前記複数の発信者番号にそれぞれに対応する発信者関連情報を予め記憶する記憶回路と、前記主装置から送出されてきた前記発信者番号に対応した前記発信者関連情報を表示するディスプレイ部と、マウスを含み前記発信者番号に対応する前記発信者関連情報の登録等に利用する入力部と、前記内線を介して前記主装置に接続し自装置全体を前記プログラムによって制御する制御回路とを有し、前記制御回路は前記主装置から送出された前記複数の発信者番号を基に前記記憶回路を順次検索して前記複数の発信者番号個々に対応する前記複数の発信者関連情報を読み出しパーソナルコンピュータが現在使用中の他のアプリケーションソフトウェアに影響を与えることなく表示させる表示制御手段を有することを特徴とする電話端末システムにおいて、前記パーソナルコンピュータの前記ディスプレイ部は、前記発信者番号に対応する前記発信者関連情報の表示処理を除く固有のアプリケーション処理の表示領域以外の上部又は下部にツールバーを有し、このツールバー内に無着信の状態から最初の着信があった場合には第１の色で表示して通知し、複数の着信があると前記第１の色から第２の色に変色して表示して通知する複数着信ボタンと、前記最初の着信に対応する発信者に関連する複数の情報を項目別に表示する複数の第１の発信者情報表示部とを含み、前記複数着信ボタンが前記第２の色で点灯表示している場合に前記マウスによって前記複数着信ボタンをクリックすると前記複数の着信のそれぞれの発信者に関連する複数の発信者関連情報をそれぞれ項目別に表示する複数の第２の発信者情報表示部を持った複数着信一覧表示部を前記ツールバーとは別の位置に表示し、前記複数着信一覧表示部内に複数の着信個々の発信者の詳細情報を表示させるための発信者情報選択ボタンを複数の着信個々に対応して表示し、且つ前記発信者情報選択ボタンに対応して着信順に前記複数の着信個々に対応する前記発信者関連情報を項目別に表示し、前記発信者情報選択ボタンを前記マウスでクリックすると前記ツールバーとは別の位置に発信者詳細情報表示部を表示し、前記発信者詳細情報表示部に発信者の詳細情報を表示することを特徴とする電話端末システム。
【発明の詳細な説明】
【０００１】
【発明の属する技術分野】
本発明は電話端末システムに関し、特に電話装置にパーソナルコンピュータ（ＰＣ）を接続して、ＰＣのディスプレイ部に発信者情報を表示する電話端末システムに関する。
【０００２】
【従来の技術】
この種の従来例について図面を参照して説明する。
【０００３】
図８は電話端末システムの第１の従来例を示すブロック図である。
【０００４】
図８において、この第１の従来例の電話端末システムは、特開平１１−２８４７７１号公報の開示内容を示し、ネットワーク回線Ｌ１からの着信を検出して発信者番号検出機能を有するネットワークインタフェース１１１と、ネットワークインタフェース１１１に接続する電話機１１７と、発信者情報や発信者関連情報を表示するための表示制御プログラムを格納するプログラムメモリ１１６と、発信者番号に対応した氏名，住所，顧客管理情報，取引情報の詳細情報を記憶する記憶回路１１４と、各ウィンドウにＯＳアプリケーションの画面を表示するディスプレイ１１３と、登録情報や指定情報等を入力する入力デバイス１１３と、この電話端末システム全体を制御回路１１２とを有している。
【０００５】
制御回路１１２は、プログラムメモリ１１６の表示制御プログラムに基づいて、次の制御を行う。第１に、制御回路１１２は、ネットワークインタフェース部１１１から受信した発信者情報に基づいて記憶回路１１４内の発信者関連情報（第１の関連情報）を検索する。第２に、制御回路１１２は、ディスプレイ中の独立した特定の表示領域に発信者情報フォームを表示し、その中に検索結果を表示する。その発信者情報フォーム（第２のウィンドウ）は、ＯＳによるアプリケーションプログラムで実行される第１の処理（たとえば、ワードプロセッサ処理）のための第１のウィンドウとは異なる。さらに発信者情報フォームが表示されるとき、ＯＳによるウィンドウフォーカスは第１のウィンドウに保たれたままでありながら、ディスプレイの画面での表示優先度は、第１のウィンドウより高い。第３に、制御回路１１２は、発信者情報フォームの表示中にマウスやキーボードによる入力デバイス１１５の入力または電話機１１７による応答に応じて第２の関連情報を記憶回路１１４から検索し、発信者詳細情報として第３のウィンドウで表示する。
【０００６】
したがって、発信者に関連する第１の関連情報は、ＯＳで実行されているアプリケーションプログラムによる第１の処理（例えばワードプロセッサ処理や図面作成処理等）を中断させることなく、表示できる。
【０００７】
図９は電話端末システムの第２の従来例を示すブロック図である。
【０００８】
図９において、この第２の従来例は、特開平８−２２３６２２号公報の中の［従来の技術］の項の開示内容を示し、このボタン電話装置は複数の内線端末と外線とを収容して交換動作を行うことができる電話装置であり、内線電話端末としてディジタルキーテレホン（ＤＫＴ）等のような高機能な電話端末装置を使用している。
【０００９】
ディジタルキーテレホンは液晶ディスプレイ（ＬＣＤ）等のキャラクタディスプレイと、ダイヤルキー、アルファベットキー、機能キー等を有し、また、制御の中枢にマイクロプロセッサを使用していて電話機としての基本機能の他、データの処理や管理を可能にしている。
【００１０】
また、ディジタルキーテレホンはシリアル入出力ポートを有していて、ここにＰＣ（パーソナルコンピュータ）などのディジタル端末を接続してデータや信号の授受を行うことができるように構成してある。
【００１１】
従って、ボタン電話装置にはシステム内各端末（ディジタルキーテレホン等の内線端末）ＤＫＴにインテリジェット端末としてＰＣ（パーソナルコンピュータ）を接続し、上記網からの着信時、各端末対応のＰＣに外線からの発呼者情報を送り、これを受信したＰＣ内では該情報に基づきさらに詳細な発呼者関連情報を生成してそのＰＣ上のモニタ画面に表示することにより、ユーザに詳細な発呼者関連情報を提供できるように構成することができる。
【００１２】
また、このようなＰＣを接続していないシステムにあっては、システム内に発呼者関連情報（例えば、発呼者電話番号（発呼者Ｔｅｌ  Ｎｏ．））から別の情報（発呼者名や会社名等）に変更するためのデータベースやテーブルを持たせ、外線からの着信時、該データベースやテーブルにより受信情報を別の情報に変換し、内線端末であるディジタルキーテレホン上のキャラクタ表示器にその情報を表示するようにしたものもある。
【００１３】
尚、特開平８−２２３６２２号公報の発明においては、ＰＣを単なるデータベースとして利用し、ＰＣに記憶している発呼者関連情報はディジタルキーテレホン上の表示器に表示させ、ＰＣには表示させない構成になっている。
【００１４】
【発明が解決しようとする課題】
この第１の従来例の電話端末システムにおいては、ネットワークインタフェースに外線が１回線しか接続されていないので、一つの着信のみの発信者情報しか表示できないという問題点がある。
【００１５】
また、第２の従来例の電話端末システム（ボタン電話システム）においても、ボタン電話装置に複数の外線と接続が可能であるにもかかわらず、内線端末にＰＣが接続されているので、内線端末が受信した一つの着信のみの発信者情報しか表示できないという問題点がある。
【００１６】
［目的］
本発明の目的は、着信時の回線からの発信者番号からデータ検索を行い、検索した発信者情報をＰＣのディスプレイに表示させる機能を有し、特に通常のＰＣによるオフィス業務に支障がきたさなく複数の着信を表示させる機能を有する電話端末システムを提供することにある。
【００１７】
また、複数着信していることを、ＰＣのディスプレイにツールバーで表示することにより、他のアプリケーションに邪魔にならず、複数着信の発信者情報を表示することを可能にする電話端末システムを提供することにある。
【００１８】
【課題を解決するための手段】
本発明の電話端末システムは、複数の外線及び複数の内線を収容する主装置と、前記複数の内線を介して前記主装置にそれぞれ独立に接続するパーソナルコンピュータ及び複数のボタン電話機とを備え、前記パーソナルコンピュータは前記複数のボタン電話機の内の特定のボタン電話機の利用者が前記パーソナルコンピュータ上に表示される表示内容を視覚により確認し且つ操作可能な位置に設置され、前記主装置は前記複数の外線からの着信時に前記複数の外線から送られてくる複数の発信者番号を前記パーソナルコンピュータに送出し、前記パーソナルコンピュータは、自装置を制御するためのプログラムを記憶するプログラムメモリと、着信時に前記主装置から送られてくる前記複数の発信者番号にそれぞれに対応する発信者関連情報を予め記憶する記憶回路と、前記主装置から送出されてきた前記発信者番号に対応した前記発信者関連情報を表示するディスプレイ部と、マウスを含み前記発信者番号に対応する前記発信者関連情報の登録等に利用する入力部と、前記内線を介して前記主装置に接続し自装置全体を前記プログラムによって制御する制御回路とを有し、前記制御回路は前記主装置から送出された前記複数の発信者番号を基に前記記憶回路を順次検索して前記複数の発信者番号個々に対応する複数の発信者関連情報を読み出しパーソナルコンピュータが現在使用中の他のアプリケーションソフトウェアに影響を与えることなく表示させる表示制御手段を有し、前記パーソナルコンピュータの前記ディスプレイ部は、前記発信者番号に対応する前記発信者関連情報の表示処理を除く固有のアプリケーション処理の表示領域以外の上部又は下部にツールバーを有し、このツールバー内に無着信の状態から最初の着信があった場合には第１の色で表示して通知し、複数の着信があると前記第１の色から第２の色に変色して表示して通知する複数着信ボタンと、前記最初の着信に対応する発信者に関連する複数の情報を項目別に表示する複数の第１の発信者情報表示部とを含み、前記複数着信ボタンが前記第２の色で点灯表示している場合に前記マウスによって前記複数着信ボタンをクリックすると前記複数の着信のそれぞれの発信者に関連する複数の発信者関連情報をそれぞれ項目別に表示する複数の第２の発信者情報表示部を持った複数着信一覧表示部を前記ツールバーとは別の位置に表示し、前記複数着信一覧表示部内に複数の着信個々の発信者の詳細情報を表示させるための発信者情報選択ボタンを複数の着信個々に対応して表示し、且つ前記発信者情報選択ボタンに対応して着信順に前記複数の着信個々に対応する前記発信者関連情報を項目別に表示し、前記発信者情報選択ボタンを前記マウスでクリックすると前記ツールバーとは別の位置に発信者詳細情報表示部を表示し、前記発信者詳細情報表示部に発信者の詳細情報を表示することを特徴とする。また、複数の外線及び複数の内線を収容する主装置と、前記複数の内線を介して前記主装置にそれぞれ独立に接続するパーソナルコンピュータ及び複数のボタン電話機とを備え、前記パーソナルコンピュータは前記複数のボタン電話機個々の利用者がそれぞれ前記パーソナルコンピュータ上に表示される表示内容を視覚により確認し且つ操作可能な位置に前記複数のボタン電話機と１対１対応で設置され、前記主装置は前記複数の外線からの着信時に前記複数の外線から送られてくる複数の発信者番号を前記パーソナルコンピュータのそれぞれに送出し、前記パーソナルコンピュータは、自装置を制御するためのプログラムを記憶するプログラムメモリと、着信時に前記主装置から送られてくる前記複数の発信者番号にそれぞれに対応する発信者関連情報を予め記憶する記憶回路と、前記主装置から送出されてきた前記発信者番号に対応した前記発信者関連情報を表示するディスプレイ部と、マウスを含み前記発信者番号に対応する前記発信者関連情報の登録等に利用する入力部と、前記内線を介して前記主装置に接続し自装置全体を前記プログラムによって制御する制御回路とを有し、前記制御回路は前記主装置から送出された前記複数の発信者番号を基に前記記憶回路を順次検索して前記複数の発信者番号個々に対応する前記複数の発信者関連情報を読み出しパーソナルコンピュータが現在使用中の他のアプリケーションソフトウェアに影響を与えることなく表示させる表示制御手段を有し、前記パーソナルコンピュータの前記ディスプレイ部は、前記発信者番号に対応する前記発信者関連情報の表示処理を除く固有のアプリケーション処理の表示領域以外の上部又は下部にツールバーを有し、このツールバー内に無着信の状態から最初の着信があった場合には第１の色で表示して通知し、複数の着信があると前記第１の色から第２の色に変色して表示して通知する複数着信ボタンと、前記最初の着信に対応する発信者に関連する複数の情報を項目別に表示する複数の第１の発信者情報表示部とを含み、前記複数着信ボタンが前記第２の色で点灯表示している場合に前記マウスによって前記複数着信ボタンをクリックすると前記複数の着信のそれぞれの発信者に関連する複数の発信者関連情報をそれぞれ項目別に表示する複数の第２の発信者情報表示部を持った複数着信一覧表示部を前記ツールバーとは別の位置に表示し、前記複数着信一覧表示部内に複数の着信個々の発信者の詳細情報を表示させるための発信者情報選択ボタンを複数の着信個々に対応して表示し、且つ前記発信者情報選択ボタンに対応して着信順に前記複数の着信個々に対応する前記発信者関連情報を項目別に表示し、前記発信者情報選択ボタンを前記マウスでクリックすると前記ツールバーとは別の位置に発信者詳細情報表示部を表示し、前記発信者詳細情報表示部に発信者の詳細情報を表示することを特徴とする。
【００２０】
【発明の実施の形態】
次に、本発明について図面を参照して説明する。
【００２１】
図１は本発明の第１の実施の形態のボタン電話システムを示すブロック図である。
【００２２】
図１において、本第１の実施の形態のボタン電話システムは、複数の外線２及び複数の内線３を収容するボタン電話主装置（主装置）１と、複数の内線３を介して主装置１にそれぞれ独立に接続するパーソナルコンピュータ（ＰＣ）５−１及び複数のボタン電話機４−１，４−２〜４−ｎとを有して構成し、ボタン電話機４−１の近傍にＰＣ５−１が設置されてあり、主装置１は、複数の外線２からの複数の着信に送られてくるそれぞれの発信者番号をＰＣ５−１に送出する機能を有し、ＰＣ５−１は受信した複数の発信者番号を基に記憶回路５４から検索して複数の発信者関連情報をディスプレイ部５５に表示する機能を有している。
【００２３】
また図１において、ＰＣ５−１は、ＰＣ５−１を制御するためのプログラムを記憶するプログラムメモリ５２と、主装置１からの送出されてくる発信者番号及び、複数の発信者番号のそれぞれに対応する発信者関連情報を予め記憶する記憶回路５４、主装置１から送出されてきた発信者番号に対応した発信者関連情報を表示するディスプレイ部５５と、マウスを含み発信者番号に対応する発信者関連情報等を登録するために入力する入力部５３と、内線３を介して主装置１に接続しＰＣ５−１全体を前記プログラムによって制御する制御回路５１とを有している。
【００２４】
図２は本第１の実施の形態におけるＰＣのディスプレイ部表示画面の着信表示の第１の実施例を示す図、図３は本第１の実施例におけるＰＣのディスプレイ部表示画面の複数着信の場合の表示の一例を示す図、図４は本第１の実施例における図３に示す表示状態で発信者情報選択ボタンで指定された発信者情報を詳細に表示する場合を示す図、図５は本第１の実施例における着信時の表示動作手順を示すフローチャート、図６は本第１の実施の形態におけるＰＣのディスプレイ部表示画面の着信表示の第２の実施例を示す図である。
【００２５】
図２においては、ディスプレイ部５５には無着信の状態から一つの着信があった場合には複数着信ボタン１１に黄色が点灯し、着信者情報表示部１２−１，１２−２〜１２−ｍのそれぞれには記憶回路５４に予め登録されている着信に対応する発信者関連情報の例えば、発信者番号，発信者名，発信者会社名等が、ディスプレイ部５５の現在動作中のワープロや表計算のアプリケーションに影響を及ぼさない横１行の表示エリアのツールバー１０内に表示される。
【００２６】
この着信状態に、次に、第２，第３…と次々と着信があった場合には複数着信ボタン１１は赤色に変わって点灯して、複数着信していることを表示する。
【００２７】
図３においては、ディスプレイ部５５に複数の着信があった場合を示し、複数着信ボタン１１をマウスで指定してクリックすることによりツールバー１０の下の複数着信一覧表示部２０に着信の順番に上から順次、ツールバー１０と同じように着信した複数の発信者関連情報が表示される複数発信者情報表示部２２−１，２２−２〜２２−ｍのエリアがある。
【００２８】
次に、図４においては、複数の着信から選択した着信の発信者の詳細な情報の表示をした場合を示し、図３から詳細な情報を表示したい行の発信者情報選択ボタン２１をマウスで指定してクリックすることにより、複数着信一覧表示部２０がクリアされた後に、指定した着信の発信者の詳細な情報が発信者情報詳細表示部３０に表示される。
【００２９】
この発信者情報詳細表示部３０内には応答ボタン３１の表示があり、この応答ボタン３１を入力部５３のマウスで指定してクリックすることにより、表示されている発信者に対して応答することができる。
【００３０】
次に、本第１の実施の形態のボタン電話システムの着信時の動作及び着信表示の手順について図５を基に図１〜図６を参照して説明する。
【００３１】
図１おいて、主装置１は、外線２からの着信によって、空きのボタン電話機４−１〜４−ｎに着信させ、着信時に外線２から送られてくる発信者番号を回線番号とともにＰＣ５−１に送出する。ＰＣ５−１の制御回路５１は、発信者番号をもとに発信者情報をディスプレイ部５５に表示する。
【００３２】
着信があると（Ｓ１）、制御回路５１は主装置１からの発信者番号を受信し（Ｓ２）、この着信以外に着信中の呼があるか無いかを、記憶回路５４を参照して判断する（Ｓ３）。制御回路５１は、記憶回路５４に着信がある毎に外線２毎に着信状態を記憶し、着信応答や終話によって着信状態をクリアする。この着信以外に着信中の呼が無い場合は、制御回路５１は発信者番号から記憶回路５４に登録されている発信者情報を検索し（Ｓ４）、図２に示すツールバー１０の発信者情報表示部１２−１〜１２−ｍに発信者情報を表示する（Ｓ５）。ツールバー１０に表示する発信者情報表示部１２−１〜１２−ｍは、予め記憶回路５４に登録した発信者情報の項目が表示される。
【００３３】
Ｓ３で、この着信以外に着信中の呼がある場合、制御回路５１は発信者番号から発信者情報を検索し（Ｓ６）、ツールバー１０の複数着信ボタン１１の色を変えて（黄→赤）ボタン１１がクリックできる状態にし、複数着信があることを表示する（Ｓ７）。次に複数着信ボタンが図１に示す入力部５３のマウスによってクリックされると（Ｓ８）、制御回路５１は、図３に示す通りディスプレイ部５５の表示画面に複数着信一覧表示部２０を表示させ、複数着信一覧表示部２０に全着信の発信者情報を表示する（Ｓ９）。複数着信一覧表示部２０には、Ｓ６で検索した発信者情報の発信者情報表示部１２−１〜１２−ｍに対応する項目を、複数発信者情報表示部２２−１〜２２−ｍへ表示し、表示順番は上から着信順に表示する。また、複数表示された発信者情報の１つを選択するための発信者情報選択ボタン２１も表示される。
【００３４】
詳細表示をさせたい発信者情報の発信者情報選択ボタン２１をマウスでクリックすると（Ｓ１０）、制御回路５１は選択された発信者情報をツールバー１０に表示するとともに（Ｓ１１）、図４に示す発信者情報詳細表示部３０を表示させ、記憶回路５４に登録されている発信者情報の全内容を表示する（Ｓ１２）。発信者情報詳細表示部３０は応答ボタン３１を有し、応答ボタン３１をクリックする事によって、着信中の外線に応答した通話をボタン電話機に接続する。
【００３５】
図６は本第１の実施の形態におけるＰＣのディスプレイ部表示画面の着信表示の第２の実施例を示す図である。
【００３６】
次に、本第１の実施の形態の第２の実施例ついて図６を参照して説明する。
【００３７】
第２の実施例では、ツールバー１０に表示する構成がツールバー１０ａと変更されている。ツールバー１０ａの構成は、複数着信ボタン１１が削除されている。また、発信者情報表示部１２−１〜１２−ｍが発信者情報表示部１３−１〜１３−ｎに変更されている。発信者情報表示部１２−１〜１２−ｍは、１着信当たりｍ個の発信者情報項目を表示しているが、発信者情報表示部１３−１〜１３−ｎは、ｎ個の着信に対し１つの発信者情報を表示している。図６では、ツールバー１０ａに発信者情報表示部１３−１〜１３−ｎが表示されている。
【００３８】
即ち、発信者情報表示部１３−１〜１３−ｎのそれぞれは、着信呼の発信者情報の１つの項目であり、着信があるごとに、表示が一つづつ追加されていく。まず、１つ目の着信が入ると、発信者情報表示部１３−１が表示され、次に１つ目の着信がまだある状態で２つ目の着信が入ると、発信者情報表示部１３−１の右隣に発信者情報表示部１３−２が表示される。ｎ個目の着信が入った場合には発信者情報表示部１３−１〜１３−ｎが左から着信順に表示される。発信者情報表示部１３−１〜１３−ｎがツールバー１０ａに表示しきれない場合は、発信者情報表示部１３−１〜１３−ｎの表示枠を均等に小さくして、ツールバー１０ａに一行で表示する。
【００３９】
表示されている発信者情報表示部１３−１〜１３−ｎの一つをクリックして選択すると、図４に示すように発信者情報詳細表示部３０に選択された発信者の詳細情報が表示される。
【００４０】
図７は本発明の第２の実施の形態のボタン電話システムを示すブロック図である。
【００４１】
図７において、本第２の実施の形態のボタン電話システムが図１に示す第１の実施の形態のボタン電話システムと異なる点は、複数の外線３及び複数の内線３ａを収容するボタン電話主装置（主装置）１ａと、複数の内線３ａを介して接続する複数のボタン電話機４−１，４−２〜４−ｎの外に、複数のボタン電話機４−１，４−２〜４−ｎのそれぞれの近傍にパーソナルコンピュータ（ＰＣ）５−１，５−２〜５−ｎが独立して主装置１ａに接続している。
【００４２】
また、図７において、ＰＣ５−１は図１に示すＰＣ５−１と同じ構成であり、他のＰＣ５−２〜５−ｎもＰＣ５−１と同じ構成を有している。更に、第２の実施の形態におけるＰＣ５−１，５−２〜５−ｎのそれぞれのディスプレイ部５５の表示画面は第１の実施の形態における第１の実施例の場合と同様に図２，図３及び図４に示す表示を行いまた第２の実施例の場合の図６に示す表示を行うことができる。
【００４３】
更にまた、ＰＣ５−１，５−２〜５−ｎのそれぞれの制御回路５２は図５と同じ表示処理を行う。
【００４４】
第１の実施の形態と第２の実施の形態との相違点は、ＰＣ５−１，５−２〜５−ｎのそれぞれのディスプレイ部５５の表示画面は同じ内容が表示されるが、ＰＣ５−１，５−２〜５−ｎのそれぞれの近傍のボタン電話機４−１，４−２〜４−ｎのそれぞれの利用者が近傍のＰＣを操作することが可能である。
【００４５】
図２，図３に示す複数着信ボタン１１及び図３に示す発信者情報選択ボタン２１をそれぞれの利用者の操作によって、ＰＣ５−１，５−２〜５−ｎは図４に示すそれぞれ検出した複数着信情報詳細表示部３０を選択して得ることができ、また、それぞれの利用者によって応答ボタン３１をクリックして独立に応答することができる。
【００４６】
更にまた、図６に示す第２の実施例の着信表示の場合もボタン電話機４−１，４−２〜４−ｎのそれぞれの利用者は近傍に設置されたＰＣ５−１，５−２〜５−ｎのディスプレイ部５５の表示画面のツールバー１０ａを自由に操作してそれぞれの利用者の独立した発信者情報の詳細を利用者近傍のＰＣに選択して表示させて、応答することができる。
【００４７】
このように第２の実施の形態のボタン電話システムにおいては、第１の実施の形態に比較してボタン電話機の利用者が近傍のＰＣの複数の発信者情報の着信表示情報を自由に操作して利用することができる。
【００４８】
【発明の効果】
以上説明したように本発明は、複数の外線及び複数の内線を収容する主装置と、複数の内線を介して主装置にそれぞれ独立に接続する１台又は複数のパーソナルコンピュータ及び複数のボタン電話機とを備え、１台又は複数のパーソナルコンピュータは複数のボタン電話機のそれぞれの近傍に１対１対応で設置されてあり、主装置は複数の外線からの複数の着信に送られてくる複数の発信者番号を１台又は複数のパーソナルコンピュータのそれぞれに送出し、１台又は複数のパーソナルコンピュータのそれぞれに主装置から送出された複数の発信者番号を基に順次検索して複数の発信者関連情報を通常の業務に支障なく表示させる表示手段を有することにより、
複数の発信者関連情報が表示されてどのボタン電話機の利用者への着信であるかが一目でわかるので、現在作業中のワープロや、表計算のアプリケーションに影響を及ぼすことなく、的確に応答することができる効果がある。
【００４９】
また、複数の発信者関連情報の表示手段によって、着信順に表示されると、発信者に従来よりも待たせることなく、順に応答することができる効果がある。
【図面の簡単な説明】
【図１】本発明の第１の実施の形態のボタン電話システムを示すブロック図である。
【図２】本第１の実施の形態におけるＰＣのディスプレイ部の着信表示の第１の実施例を示す図である。
【図３】本第１の実施例におけるＰＣのディスプレイ部の複数着信の場合の表示の一例を示す図である。
【図４】本第１の実施例における図３に示す表示状態で発信者情報選択ボタンで指定された発信者情報を詳細に表示する場合を示す図である。
【図５】本第１の実施の形態における着信時の表示動作手順を示すフローチャートである。
【図６】本第１の実施の形態におけるＰＣのディスプレイ部の着信表示の第２の実施例を示す図である。
【図７】本発明の第２の実施の形態のボタン電話システムを示すブロック図である。
【図８】電話端末システムの第１の従来例を示すブロック図である。
【図９】電話端末システムの第２の従来例を示すブロック図である。
【符号の説明】
１，１ａ    ボタン電話主装置（主装置）
２    外線
３，３ａ    内線
４−１，４−２〜４−ｎ    ボタン電話機
５−１，５−２〜５−ｎ    パーソナルコンピュータ（ＰＣ）
５１    制御回路
５２    プログラムメモリ
５３    入力部
５４    記憶回路
５５    ディスプレイ部
１０，１０ａ    ツールバー
１２−１，１２−２〜１２−ｍ，１３−１，１３−２〜１３−ｎ    発信者情報表示部
２０    複数着信一覧表示部
２２−１，２２−２〜２２−ｍ    複数発信者情報表示部
３０    発信者情報詳細表示部
３１    応答ボタン
【図１】
0003623709.tif 000002
【図２】
0003623709.tif 000003
【図３】
0003623709.tif 000004
【図４】
0003623709.tif 000005
【図５】
0003623709.tif 000006
【図６】
0003623709.tif 000007
【図７】
0003623709.tif 000008
【図８】
0003623709.tif 000009
【図９】
0003623709.tif 000010